(57)【要約】【課題】安全性および強度に優れ、使いやすく、多様性を有する釣用接続具を提供する。【解決手段】釣用接続具１０は、ハリスや道糸などの糸状物を接続するものであり、糸状物を巻き付けるための巻付軸部１２と、糸状物を係止部１３と、糸状物を通すための巻止部１４とを備えている。係止部１３は、巻付軸部１２の一端側に設けられており、線材１１を曲げて環１３Ａを形成し、環１３Ａを接合材１３Ｂにより接合した構造を有している。巻止部１４は、巻付軸部１２の他端側に設けられており、線材１１の他端側端部を曲げて環１４Ａを形成するように巻付軸部１２と交差させ、線材１１の他端側先端部を被覆部材１４Ｂにより被覆した構造を有している。【選択図】図１
0003160782.tif 000002
【実用新案登録請求の範囲】
【請求項１】
線材を曲げることにより形成された釣用接続具であって、
糸状物を巻き付けるための巻付軸部と、
この巻付軸部の一端側に、糸状物を係止するために設けられ、前記線材を曲げて環を形成し、接合材により接合した係止部と、
前記巻付軸部の他端側に、糸状物を通すために設けられ、前記線材の他端側端部を曲げて環を形成するように前記巻付軸部と交差させ、前記線材の他端側先端部を被覆部材により被覆した巻止部と
を備えたことを特徴とする釣用接続具。
【請求項２】
前記線材の一端側端部は、前記係止部から前記巻付軸部の反対側に伸長され、または、前記係止部から前記巻付軸部の反対側に伸長されたのち環を形成するように曲げられ、一端側先端部は被覆部材により被覆されたことを特徴とする請求項１記載の釣用接続具。
【請求項３】
前記係止部は、前記線材を前記巻付軸部から前記巻止部の反対側に伸長したのち前記巻止部の側に曲げ返した一端側端部に設けられたことを特徴とする請求項１記載の釣用接続具。
【考案の詳細な説明】
【技術分野】
【０００１】
本考案は、ハリスや道糸などの糸状物を接続する釣用接続具に関する。
【背景技術】
【０００２】
一般に、道糸とハリスとを接続する方法として、例えば、サルカンが用いられている。サルカンは、例えば、一対のループ状の繋ぎ環を回転可能に接続したものであり、一方の繋ぎ環に道糸を結びつけ、他方の繋ぎ環にハリスを結びつけて用いるものである。しかし、繋ぎ環にハリスまたは道糸を直接結びつける作業は面倒であり、また、釣りの最中にハリスが切れたり、ハリスに接続した針が取れたりしたときに、船上でその度にハリスを結びつけるのは大変であり難しいという問題があった。そこで、これまでも、簡単に道糸とハリスとを接続する釣用接続具が提案されてきた。例えば、特許文献１には、棒体よりなる巻付軸の一端に糸状物を係止するフック部を設け、他端を巻付軸と交差させて引出環を形成することにより、簡単に道糸を接続することができる釣用接続具が記載されている。
【先行技術文献】
【特許文献】
【０００３】
【特許文献１】特開平７−１１５８８３号公報
【考案の概要】
【考案が解決しようとする課題】
【０００４】
しかしながら、特許文献１に記載の釣用接続具では、先端部が細い針状となるので、糸状物を取り付けたり取り外したりする際に、誤って指先に刺したり、引っ掛けるなどの怪我をしてしまうことが考えられた。通常、釣では、針に餌を付けたり魚が釣れたときなどは素手で扱うことが多く、また、釣り場では衛生状態を保つことが難しいので、怪我をすると、細菌感染の危険が高まり、重大な事故につながる恐れが生じてしまう。また、特許文献１に記載の釣用接続具では、フック部の強度が弱く、強い力で引っ張られたときに変形して糸状物が取れてしまうとことも考えられた。線材を太くすれば強度は向上するが、仕掛け部品との組み合わせを考えると、用途は限定されてしまう。
【０００５】
本考案は、このような問題に基づきなされたものであり、安全性および強度に優れ、使いやすく、多様性を有する釣用接続具を提供することを目的とする。
【課題を解決するための手段】
【０００６】
本考案の釣用接続具は、線材を曲げることにより形成されたものであって、糸状物を巻き付けるための巻付軸部と、この巻付軸部の一端側に、糸状物を係止するために設けられ、線材を曲げて環を形成し、接合材により接合した係止部と、巻付軸部の他端側に、糸状物を通すために設けられ、線材の他端側端部を曲げて環を形成するように巻付軸部と交差させ、線材の他端側先端部を被覆部材により被覆した巻止部とを備えたものである。
【０００７】
この釣用接続具では、例えば、糸状物の先端部を折り返し、折り返し部を係止部に係止して、係止部から巻止部に向かい、糸状物の折り返し側と基端側とを共に巻付軸に巻き付けたのち、それらを線材の他端側先端部と巻付軸部との間を通過させて巻止部に通すことにより、糸状物を接続する。
【考案の効果】
【０００８】
本考案の釣用接続具によれば、巻付軸部の一端側に糸状物を係止するための係止部を設け、他端側に糸状物を通すための巻止部を設けるようにしたので、例えば、ハリスや道糸などの糸状物を係止部に係止して、巻付軸部に巻き付け、巻止部に通すことにより、簡単に接続することができる。
【０００９】
また、線材の他端側先端部を被覆部材により被覆するようにしたので、糸状物を取り付ける際に、他端側先端部で指を傷付けることを防止することができる。よって、取り扱いに十分な注意を払えない子供でも、老眼などにより細かい部分を良く見ることができない高齢者でも、また、寒さにより指先が凍えて作業しにくい場合でも、安全に糸状物を取り付けし、また、取り外しすることができる。
【００１０】
更に、係止部は、線材を曲げて環を形成し、接合材により接合するようにしたので、線材を必要以上に太くしなくても、係止部の強度を向上させることができる。よって、様々な仕掛け部品と組み合わせて用いることができ、各種用途に広く用いることができる。
【００１１】
加えて、線材の一端側端部を係止部から巻付軸部の反対側に伸長して一端側先端部を被覆部材により被覆したり、また、一端側端部を係止部から巻付軸部の反対側に伸長したのち環を形成するように曲げて、一端側先端部を被覆部材により被覆したり、また、線材を巻付軸部から巻止部の反対側に伸長したのち巻止部の側に曲げ返した一端側端部に係止部を設けるなど、一端側端部を変形することにより、ルアー用、天秤、枝、はえなわ漁などの各種用途に広く用いることができる。
【図面の簡単な説明】
【００１２】
【図１】本発明の一実施の形態に係る釣用接続具の構成を表す図である。
【図２】図１に示した釣用接続具の利用例を表す図である。
【図３】図１に示した釣用接続具に糸状物を取り付ける様子を表す図である。
【図４】本発明の一実施の形態に係る釣用接続具の変形例を表す図である。
【図５】図４に示した釣用接続具の利用例を表す図である。
【図６】本発明の一実施の形態に係る釣用接続具の他の変形例を表す図である。
【考案を実施するための形態】
【００１３】
以下、本考案の実施の形態について、図面を参照して詳細に説明する。
【００１４】
図１は、本考案の一実施の形態に係る釣用接続具１０の構成を表すものであり、図２は、その利用例を表すものであり、図３は、釣用接続具１０に糸状物Ｍを取り付ける様子を表すものである。この釣用接続具１０は、例えば、ハリスや道糸などの糸状物Ｍを接続するものである。この釣用接続具１０は、例えば、図１（Ａ）に示したように、１本の線材１１を曲げることにより形成され、糸状物Ｍを巻き付けるための巻付軸部１２と、糸状物Ｍを係止するための係止部１３と、糸状物Ｍを通すための巻止部１４とを備えている。線材１１には、例えば、ステンレスなどの金属よりなるワイヤが用いられる。巻付軸部１２は、例えば、直線状に形成されている。係止部１３は、巻付軸部１２の一端側に設けられており、線材１１を曲げて環１３Ａを形成し、環１３Ａを接合材１３Ｂにより接合した構造を有している。強度を向上させるためである。接合材１３Ｂとしては、半田あるいは接着剤などが挙げられ、例えば、環１３Ａの中に接合材１３Ｂを埋め込むことにより接合している。
【００１５】
巻止部１４は、巻付軸部１２の他端側に設けられており、線材１１の他端側端部を曲げて環１４Ａを形成するように巻付軸部１２と交差させ、線材１１の他端側先端部を被覆部材１４Ｂにより被覆した構造を有している。被覆部材１４Ｂにより安全性を向上させるためである。被覆部材１４Ｂとしては、半田、接着剤、あるいはプラスチックなどが挙げられ、例えば、図１（Ｂ）に示したように、線材１１の他端側先端部を折り返し、この折り返した部分に被覆部材１４Ｂを付けて被覆している。線材１１の他端側先端部は、巻付軸部１２と交差部１４Ｃにおいて、接触するように構成されていることが好ましい。糸状物Ｍが交差部１４Ｃの隙間を通って巻止部１４から抜けないようにするためである。なお、図１では巻止部１４を三角形（例えば、４の字）に形成する場合について示したが、糸状物Ｍを通すことができる環状であればどのような形状でもよく、円形、楕円形、涙形状、あるいは四角形でもよい。
【００１６】
線材１１の一端側端部１５は、例えば、係止部１３から巻付軸部１２の反対側に伸長され、一端側先端部は被覆部材１５Ａにより被覆されている。被覆部材１５Ａの構成は、被覆部材１４Ｂの構成と同様である。この一端側端部１５には、例えば、様々な仕掛けを作るためのビーズ１６を挿入することが可能であり、被覆部材１５Ａは一端側先端部を被覆して安全性を高める機能と共に、ビーズ止としての機能も有している。例えば、図２に示したように、一端側端部１５に貫通孔が設けられたビーズ１６を挿入し、複数の釣用接続具１０をビーズ１６においてワイヤあるいは糸などの連結具１７で連結して用いることも可能である。
【００１７】
この釣用接続具１０には、例えば、図３に示したようにして糸状物Ｍが取り付けられる。まず、例えば図３（Ａ）に示したように、糸状物Ｍの先端部を折り返し、折り返し部を係止部１３に係止する。次いで、例えば図３（Ｂ）に示したように、係止部１３から巻止部１４に向かい、糸状物Ｍの折り返し側と基端側とを共に巻付軸１２に複数回、例えば４、５回巻き付ける。続いて、例えば図３（Ｃ）に示したように、糸状物Ｍの折り返し側と基端側とを、線材１１の弾性を利用して、線材１１の他端側先端部と巻付軸部１２との間を通過させて巻止部１４に通す。これにより、釣用接続具１０に糸状物Ｍが接続される。
【００１８】
図４は、本実施の形態に係る釣用接続具１０の変形例を表すものであり、図５は、その利用例を表すものである。この釣用接続具１０は、線材１１の一端側端部１５の構成を変えたものであり、一端側端部１５は、例えば図４（Ａ）に示したように、係止部１３から巻付軸部１２の反対側に伸長されたのち環１５Ｂを形成するように曲げられ、一端側先端部は被覆部材１５Ｃにより被覆されている。被覆部材１５Ｃの材料は、被覆部材１４Ｂと同様であり、例えば、図４（Ｂ）に示したように、線材１１の一端側先端部を係止部１３の側に曲げ返し、線材１１の一端側先端部と基端側とを細い銅線１５Ｄなどを巻き付けることにより固定して、その上から被覆部材１５Ｃを付けて被覆している。
【００１９】
この釣用接続具１０では、例えば図５（Ａ）（Ｂ）に示したように、一端側端部１５の環１５Ｂにスナップ付サルカン１８などを介して錘１９を取り付けたり、例えば図５（Ｂ）に示したように、一端側端部１５にビーズ１６を挿入し、他の釣用接続具１０と組み合わせて用いることも可能である。また、例えば図５（Ａ）に示したように、係止部１３と環１５Ｂとの間を伸長し、曲げ返して他の環１５Ｅを形成するようにしてもよく、曲げ返した部分は、例えば、銅線、銅板またはステンレス板等を巻き付けることにより固定し、その上から被覆部材１５Ｆで被覆するようにしてもよい。被覆部材１５Ｆの材料は、被覆部材１４Ｂと同様である。
【００２０】
図６は、本実施の形態に係る釣用接続具１０の他の変形例を表すものである。この釣用接続具１０は、係止部１３の位置および線材１１の一端側端部１５の構成を変えたものであり、係止部１３は、例えば、線材１１を巻付軸部１２から巻止部１４の反対側に伸長したのち巻止部１４の側に曲げ返した一端側端部に設けられている。この釣用接続具１０では、係止部１３と巻付軸部１２との間の曲返部１５Ｇにルアーなどを取り付けて用いることも可能である。
【００２１】
このように本実施の形態の釣用接続具１０によれば、巻付軸部１２の一端側に糸状物Ｍを係止するための係止部１３を設け、他端側に糸状物Ｍを通すための巻止部１４を設けるようにしたので、例えば、ハリスや道糸などの糸状物Ｍを係止部１３に係止して、巻付軸部１２に巻き付け、巻止部１４に通すことにより、簡単に接続することができる。
【００２２】
また、線材１１の他端側先端部を被覆部材１４Ｂにより被覆するようにしたので、糸状物Ｍを取り付ける際に、他端側先端部で指を傷付けることを防止することができる。よって、取り扱いに十分な注意を払えない子供でも、老眼などにより細かい部分を良く見ることができない高齢者でも、また、寒さにより指先が凍えて作業しにくい場合でも、安全に糸状物を取り付けし、また、取り外しすることができる。
【００２３】
更に、係止部１３は、線材１１を曲げて環１３Ａを形成し、接合材１３Ｂにより接合するようにしたので、線材１１を必要以上に太くしなくても、係止部１３の強度を向上させることができる。よって、様々な仕掛け部品と組み合わせて用いることができ、各種用途に広く用いることができる。
【００２４】
加えて、線材１１の一端側端部１５を係止部１３から巻付軸部１２の反対側に伸長して一端側先端部を被覆部材１５Ａにより被覆したり、また、一端側端部１５を係止部１３から巻付軸部１２の反対側に伸長したのち環１５Ｂを形成するように曲げて、一端側先端部を被覆部材１５Ｃにより被覆したり、また、線材１１を巻付軸部１２から巻止部１４の反対側に伸長したのち巻止部１４の側に曲げ返した一端側端部１５に係止部１３を設けるなど、一端側端部１５を変形することにより、ルアー用、天秤、枝、はえなわ漁などの各種用途に広く用いることができる。
【００２５】
以上、実施の形態を挙げて本考案を説明したが、本考案は上記実施の形態に限定されるものではなく、種々変形可能である。例えば、係止部１３と被覆部材１５Ａ，１５Ｃとの間の長さ、または、一端側端部１５に形成する環１５Ｂの大きさ、係止部１３と巻付軸部１２との間の曲返部１５Ｇの大きさ、係止部１３の環１３Ａの大きさ、または、巻止部１４の環１４Ａの大きさなどは、任意に変更することができる。
【産業上の利用可能性】
【００２６】
釣に用いることができる。
【符号の説明】
【００２７】
１０…釣用接続具、１１…線材、１２…巻付軸部、１３…係止部、１３Ａ…環、１３Ｂ…接合材、１４…巻止部、１４Ａ…環、１４Ｂ…被覆部材、１４Ｃ…交差部、１５…一端側端部、１５Ａ…被覆部材、１５Ｂ…環、１５Ｃ…被覆部材、１５Ｄ…銅線、１５Ｅ…環、１５Ｆ…被覆部材、１５Ｇ…曲返部、１６…ビーズ、１７…連結具、１８…スナップ付サルカン、１９…錘、Ｍ…糸状物
【図１】
0003160782.tif 000003
【図２】
0003160782.tif 000004
【図３】
0003160782.tif 000005
【図４】
0003160782.tif 000006
【図５】
0003160782.tif 000007
【図６】
0003160782.tif 000008